(57)【要約】【課題】階段の側壁と既設踏み板の上面に施工された踏み板材の端面との隙間に作業性よく、見栄えよく装着される階段用見切り材及び階段を提供する。【解決手段】階段の側壁４と既設踏み板５の上面に施工された踏み板材３の端面との隙間６に装着される見切り材Ａであって、該見切り材Ａは本体部１とクッション部２とからなるとともに、上記本体部１は踏み板材３の端面を覆う被覆部１１とこの被覆部１１の後端面から垂設され上記隙間６に挿入される挿入部１２とからなり、この挿入部１２の踏み板材３側にはクッション部２が設けられる。【選択図】図３
2006152536.tif 000002
【特許請求の範囲】
【請求項１】
階段の側壁と既設踏み板の上面に施工された踏み板材の端面との隙間に装着される見切り材であって、該見切り材は本体部とクッション部とからなるとともに、上記本体部は踏み板材の端面を覆う被覆部とこの被覆部の後端面から垂設され上記隙間に挿入される挿入部とからなり、この挿入部の踏み板材側にはクッション部が設けられた階段用見切り材。
【請求項２】
上記被覆部の側断面が略三角形である請求項１に記載の階段用見切り材。
【請求項３】
上記本体部が硬質材から形成されるとともに、上記クッション部が軟質弾性材料から形成され、該クッション部の略中央部が膨出された請求項１に記載の階段用見切り材。
【請求項４】
既設踏み板の上面に踏み板材が施工された階段であって、該階段の側壁と既設踏み板の上面に施工された踏み板材の端面との隙間には、該踏み板材の端面を覆う被覆部とこの被覆部の後端面から垂設され上記隙間に挿入される挿入部とからなる本体部と、上記挿入部の踏み板材側に設けられたクッション部とからなる見切り材が装着された階段。
【発明の詳細な説明】
【技術分野】
【０００１】
本発明は、階段に用いられる見切り材に関する。さらに詳しくは、既設の踏み板の上面に施工された踏み板材の端面と側壁との隙間に装着される階段用見切り材およびそれを用いた階段に関する。
【背景技術】
【０００２】
通常、室内階段は側壁と側壁との間に水平に架設された踏み板とその下方に踏み板を支持するように垂直に取り付けられた蹴込み板とを含んで構成される。上記踏み板としては、ムクの板材や化粧合板と複合して形成される種々の複合材等が用いられるが、リフォーム等を行う場合、例えば、上記踏み板の上面に化粧用の踏み板材を重ねて施工される。他方、上記踏み板および蹴込み板と側壁との間に施工公差内で生じた隙間を見切り材で塞いで納めた階段が知られている。
【特許文献１】特開平９−２７９７９９号公報（第１−３頁、第１図）
【発明の開示】
【発明が解決しようとする課題】
【０００３】
ところで、リフォーム時等、既設の踏み板の上面に化粧用の踏み板材を施工したとき、側壁と踏み板材の端面との間に多少の隙間を生じることは避け難く、従来、テープ状または板状の見切り材を上記隙間に埋め込んで隠すようにされていた。しかしながら、上記従来の見切り材を用いて隙間を埋める作業は手間が掛かって作業性が悪く、また仕上げ後の見栄えも必ずしもよいものとはいえない。本発明はこのような問題を解決して、階段の側壁と既設踏み板の上面に施工された踏み板材の端面との隙間に作業性よく、また見栄えよく隙間を隠すことのできる階段用見切り材およびそれを用いた階段を提供することを、その課題とする。
【課題を解決するための手段】
【０００４】
上記課題を解決するために、本発明においては、つぎのような技術的手段を講じている。すなわち、本願第１発明によれば、階段の側壁と既設踏み板の上面に施工された踏み板材の端面との隙間に装着される見切り材であって、該見切り材は本体部とクッション部とからなるとともに、上記本体部は踏み板材の端面を覆う被覆部とこの被覆部の後端面から垂設され上記隙間に挿入される挿入部とからなり、この挿入部の踏み板材側にはクッション部が設けられた階段用見切り材が提供される。
【０００５】
上記被覆部の側断面が略三角形であることが好ましい。とくに、被覆部の後端面から踏み板材側に向かって側断面が略鋭角直角三角形の形状であることが好ましい。また、上記本体部が硬質材から形成されるとともに、上記クッション部が軟質弾性材料から形成され、該クッション部の略中央部が踏み板材側に膨出されることが好ましい。上記本体部として用いられる硬質材としては、ポリプロピレン、ＡＢＳ、ポリカーボネート樹脂等の硬質合成樹脂が好ましく用いられ、上記クッション部として用いられる軟質弾性材料としては、天然ゴム、ブチル系ゴム、ポリブタジエン系ゴム等の合成ゴムが好ましく用いられる。
【０００６】
本願第２発明によれば、既設踏み板の上面に踏み板材が施工された階段であって、該階段の側壁と既設踏み板の上面に施工された踏み板材の端面との隙間には、該踏み板材の端面を覆う被覆部とこの被覆部の後端面から垂設され上記隙間に挿入される挿入部とからなる本体部と、上記挿入部の踏み板材側に設けられたクッション部とからなる見切り材が装着された階段が提供される。
【発明の効果】
【０００７】
請求項１に記載の第１発明にかかる階段用見切り材は、階段の側壁と既設踏み板の上面に施工された踏み板材の端面との隙間に装着されるとともに、被覆部とこの被覆部の後端面から垂設される挿入部とからなる本体部と、クッション部とからなり、この挿入部の踏み板材側にはクッション部が設けられているため、簡単に、作業性よく、また見栄えよく隙間を覆うことができる。
【０００８】
上記被覆部の側断面が略三角形とされているため、階段の側壁と踏み板材とがなす直角角部に見栄えよく納めることができる。とくに、被覆部の後端面から踏み板材側に向かって側断面を略鋭角直角三角形の形状とすることにより、本体部が緩やかに傾斜して上記踏み板材の端面を覆い、上記本体部と踏み板材とが連続性を保って、さらに見栄えのよいものとなる。
【０００９】
上記本体部が硬質材から形成されるとともに、上記クッション部が軟質弾性材料から形成されているため、硬質材を例えば、硬質合成樹脂から形成することによって、本体部を上記隙間に滑らかに装着することが可能となり、また、クッション部を軟質弾性材料、例えば合成ゴムから形成することにより、本体部とともに、上記隙間にしっかりと弾性係止させることができる。さらに上記クッション部の略中央部が膨出しているため、この膨出部が踏み板材の端面に弾接し、抜けたり、外れたりすることなく、しっかりと固定することができる。
【００１０】
請求項４に記載の第２発明にかかる階段は、上記第１発明にかかる階段用見切り材が、該階段の側壁と既設踏み板の上面に施工された踏み板材の端面との隙間に装着されているため、上記端面が見栄えよく隠され、デザイン性に優れた階段とすることができる。
【発明を実施するための最良の形態】
【００１１】
以下、本発明の実施形態について図面を参照して、詳細に説明する。図１は、本願第１発明にかかる階段用見切り材Ａを示す斜視図である。図１からよくわかるように、上記階段用見切り材Ａは、被覆部１１とこの被覆部１１の後端面から垂設された挿入部１２とからなる本体部１と、上記挿入部１２の踏み板材３（図２、図３参照）側に設けられたクッション部２とからなる。上記本体部１は硬質プラスチックから形成され、クッション部２は合成ゴムを半円筒状に形成してなるとともに、上記本体部１とクッション部２とを一体的に形成することにより、階段用見切り材Ａが製造される。
【００１２】
図２は、上記階段用見切り材Ａを階段の側壁４と既設踏み板５の上面に施工された踏み板材３の端面との隙間６に装着した状態を示す正断面図であり、図３は、図２の要部を示す部分正断面図である。図２、図３から明らかなように、階段用見切り材Ａの本体部１の被覆部１１は踏み板材３の端面を見栄えよく覆うとともに、上記被覆部１１の後端面から垂設された挿入部１２はクッション部２と一体的に上記隙間６に挿入される。このとき、クッション部２はその略中央部が踏み板材３側に膨出しているため、踏み板材３の端面に弾接し、隙間６にしっかりと弾性係止する。なお、図２における符号７は階段を構成する蹴込み板を示す。
【００１３】
図４は、上記階段用見切り材Ａを装着して施工された本願第２発明にかかる階段Ｂを示す斜視図である。図４から明らかなように、上記階段用見切り材Ａが、既設踏み板５の上面に施工された踏み板材３の端面と階段Ｂの側壁４との隙間に見栄えよく装着され、リフォーム等で施工された踏み板材３の端面を見栄えよく隠し、デザイン性に優れた階段Ｂとすることができる。
【図面の簡単な説明】
【００１４】
【図１】第１発明にかかる階段用見切り材を示す斜視図である。
【図２】上記階段用見切り材を階段の側壁と既設踏み板の上面に施工された踏み板材の端面との隙間に装着した状態を示す正断面図である。
【図３】図２の要部を示す部分正断面図である。
【図４】第２発明にかかる階段を示す斜視図である。
【符号の説明】
【００１５】
Ａ          本願第１発明にかかる階段用見切り材
Ｂ          本願第２発明にかかる階段
１          本体部
１１        被覆部
１２        挿入部
２          クッション部
３          踏み板材
４          側壁
５          既設踏み板
６          隙間
７          蹴込み板
【図１】
2006152536.tif 000003
【図２】
2006152536.tif 000004
【図３】
2006152536.tif 000005
【図４】
2006152536.tif 000006